(57)【特許請求の範囲】
【請求項１】
上側に第一開口部が設けられた本体ユニットと、
上側には読取対象となる原稿が載置される原稿載置面が設けられるとともに、当該原稿載置面の下方には、前記原稿載置面に沿って移動しながら前記原稿載置面に載置された原稿の画像を読み取る読取手段が設けられており、前記本体ユニットに対して相対的に変位して、前記第一開口部を開く開位置、及び前記第一開口部を閉じる閉位置へ開閉動作する読取ユニットと、
読取対象となる原稿を所定の搬送経路沿いに搬送する搬送機構が組み込まれるとともに、一部には第二開口部が設けられており、前記読取ユニットに対して相対的に変位して、前記原稿載置面を露出させる開位置、及び前記原稿載置面を覆う閉位置へ開閉動作する原稿搬送ユニットと、
前記原稿搬送ユニットに対して相対的に変位して、前記第二開口部を開く開位置、及び前記第二開口部を閉じる閉位置へ開閉動作する構造とされたカバー部材と、
前記読取ユニット、前記原稿搬送ユニット、及び前記カバー部材のうち、いずれか一つを第一検出対象、当該第一検出対象以外の一つを第二検出対象、前記第一検出対象及び前記第二検出対象以外の一つを第三検出対象とし、前記第一検出対象、前記第二検出対象、及び前記第三検出対象のすべてが閉位置にある開閉状態を第一の開閉状態、前記第一検出対象及び前記第二検出対象が閉位置にあるものの、前記第三検出対象が開位置にある開閉状態を第二の開閉状態、少なくとも前記第一検出対象が閉位置にあるものの、少なくとも前記第二検出対象が開位置にある開閉状態を第三の開閉状態、少なくとも前記第一検出対象が開位置にある開閉状態を第四の開閉状態として、前記第一の開閉状態又は前記第三の開閉状態いずれかの開閉状態と、前記第二の開閉状態又は前記第四の開閉状態いずれかの開閉状態との間で、一方の開閉状態から他方の開閉状態へ変化したときに、オン状態及びオフ状態がいずれか一方から他方へ切り替わる第一検出手段と、
前記第一の開閉状態又は前記第二の開閉状態いずれかの開閉状態と、前記第三の開閉状態又は前記第四の開閉状態いずれかの開閉状態との間で、一方の開閉状態から他方の開閉状態へ変化したときに、オン状態及びオフ状態がいずれか一方から他方へ切り替わる第二検出手段と
を備えたことを特徴とする画像読取装置。
【請求項２】
前記第一検出対象に配設されており、前記第一検出対象に対して相対的に二位置へ変位する第一可動部材と、
前記第三検出対象が開位置から閉位置へ変位する際には、前記第一可動部材を前記二位置の一方から他方へ変位させる一方、前記第三検出対象が閉位置から開位置へ変位する際には、前記第一可動部材を前記二位置の他方から一方へ変位させる第一連動機構と
を備え、
前記第一検出対象が閉位置にある状態において前記第三検出対象が閉位置にある場合には、前記第一可動部材が、前記第一連動機構によって前記二位置の他方へと変位させられて、前記第一検出手段によって検出される状態となり、一方、前記第一検出対象が閉位置にある状態において前記第三検出対象が開位置にある場合には、前記第一可動部材が、前記第一連動機構によって前記二位置の一方へと変位させられて、前記第一検出手段によって検出されない状態となり、さらに、前記第一検出対象が開位置にある場合には、前記第一可動部材が、前記第一検出対象とともに変位して、前記第一検出手段によって検出されない状態となる
ことを特徴とする請求項１に記載の画像読取装置。
【請求項３】
前記第一連動機構は、
前記第一可動部材を前記二位置の一方から他方へ変位させる付勢力を、前記第一可動部材に対して作用させる第一付勢部と、
開位置へと変位する前記第三検出対象に連動して、前記第一付勢部の付勢力に抗して前記第一可動部材を前記二位置の他方から一方へと変位させる動作伝達部と
を備え、
前記第一検出対象が閉位置にある状態において前記第三検出対象が閉位置にある場合には、前記第一可動部材が、前記第一付勢部に付勢されて前記二位置の他方へと変位させられて、前記第一検出手段によって検出される状態となり、一方、前記第一検出対象が閉位置にある状態において前記第三検出対象が開位置にある場合には、前記第一可動部材が、前記動作伝達部から伝達される力で前記二位置の一方へと変位させられて、前記第一検出手段によって検出されない状態となる
ことを特徴とする請求項２に記載の画像読取装置。
【請求項４】
前記第一検出対象に配設されており、前記第一検出対象に対して相対的に二位置へ変位する第二可動部材と、
前記第二検出対象が開位置から閉位置へ変位する際には、前記第二可動部材を前記二位置の一方から他方へ変位させる一方、前記第二検出対象が閉位置から開位置へ変位する際には、前記第二可動部材を前記二位置の他方から一方へ変位させる第二連動機構と
を備え、
前記第一検出対象が閉位置にある状態において前記第二検出対象が閉位置にある場合には、前記第二可動部材が、前記第二連動機構によって前記二位置の他方へと変位させられて、前記第二検出手段によって検出される状態となり、一方、前記第二検出対象が閉位置にある状態において前記第二検出対象が開位置にある場合には、前記第二可動部材が、前記第二連動機構によって前記二位置の一方へと変位させられて、前記第二検出手段によって検出されない状態となり、さらに、前記第一検出対象が開位置にある場合には、前記第二可動部材が、前記第一検出対象とともに変位して、前記第二検出手段によって検出されない状態となる
ことを特徴とする請求項１〜請求項３のいずれか一項に記載の画像読取装置。
【請求項５】
前記第二連動機構は、
前記第二可動部材を前記二位置の他方から一方へ変位させる付勢力を、前記第二可動部材に対して作用させる第二付勢部と、
前記第二検出対象が閉位置へと変位した際に前記第二可動部材を押圧することにより、前記第二付勢部の付勢力に抗して前記第二可動部材を前記二位置の一方から他方へと変位させる押圧部と
を備え、
前記第一検出対象が閉位置にある状態において前記第二検出対象が閉位置にある場合には、前記第二可動部材が、前記押圧部に押圧されて前記二位置の他方へと変位させられて、前記第二検出手段によって検出される状態となり、一方、前記第一検出対象が閉位置にある状態において前記第二検出対象が開位置にある場合には、前記第二可動部材が、前記第二付勢部に付勢されて前記二位置の一方へと変位させられて、前記第二検出手段によって検出されない状態となる
ことを特徴とする請求項４に記載の画像読取装置。
【請求項６】
前記画像読取装置の備える所定の機能が利用される際に、前記第一検出手段及び前記第二検出手段による検出結果に基づいて、前記第一の開閉状態〜前記第四の開閉状態いずれであるのかを特定するとともに、特定された開閉状態と前記所定の機能を利用する際に必要な開閉状態とが異なる場合に、その旨の警告を出力する警告出力手段
を備えることを特徴とする請求項１〜請求項５のいずれか一項に記載の画像読取装置。
【発明の詳細な説明】
【技術分野】
【０００１】
本発明は、画像読取装置に関する。
【背景技術】
【０００２】
従来、画像形成機構等が組み込まれた本体ユニットの上側に、画像読取機構等が組み込まれた読取ユニットを積み重ねた構造とされた複合機（Multifunction Peripheral）が知られている（例えば、特許文献１参照。）。また、この特許文献１に記載の複合機の場合、読取ユニットの上側に、更に自動原稿送り装置（Automatic Document Feeder；以下、ＡＤＦと略称する。）が組み込まれた原稿搬送ユニットを積み重ねた構造とされている。
【０００３】
この種の複合機は、原稿搬送ユニットが読取ユニットに対して開閉可能な構造になっていて、読取ユニットの上面側にある原稿台を利用する際には原稿搬送ユニットが開閉操作され、ＡＤＦを利用する際には原稿搬送ユニットが閉じられた状態とされる。また、読取ユニットが本体ユニットに対して開閉可能な構造になっているものもあり、その場合、常時は読取ユニットが閉じられた状態とされ、本体ユニットに組み込まれた画像形成機構等の保守や整備を行う際には読取ユニットが開かれた状態とされる。さらに、これらの他にも、各種開閉箇所を備えている場合がある。
【０００４】
このように複数の開閉対象を備えている場合、それら複数の開閉対象の開閉状態を検出する方法としては、すべての開閉対象それぞれに対応するスイッチを配設して、各スイッチのオン・オフを検出する、といった方法を考えることができる。
【０００５】
ただし、このような方法では、複数の開閉対象と同数分のスイッチが必要となり、各スイッチと制御部とを結ぶハーネス類も必要となるので、相応に部品点数が増大する原因になり、それらのスイッチやハーネス類を組み付けるために組み立て工数も増大する。また、それらのスイッチやハーネス類を配設するためのスペースを確保すると機器の小型化を妨げる要因になり、さらに、スイッチやハーネス類が増えるほど電気的なノイズ源が増えるおそれがあるので、その対策にもコストがかかることになる。
【０００６】
こうした問題に対し、単一のスイッチを利用して、二つの開閉対象の開閉状態を検出する技術も提案されている（例えば、特許文献２，３参照。）。特許文献２に記載の画像形成装置の場合、第一の開閉対象を開閉するときと第二の開閉対象を開閉するときとでは、スイッチのオン・オフが切り替わるときのパターンに違いがある。そのため、このパターンを開閉対象の開閉時に検出することにより、どちらの開閉対象が開閉されたのかを検出することができる。
【０００７】
また、特許文献３に記載のカバー開閉検知機構の場合、二つの開閉対象双方が閉じられた状態と、いずれか一方の開閉対象が開かれた状態とで、スイッチのオン・オフが切り替わる。そのため、二つの開閉対象双方が閉じられた状態にあるのか、少なくとも一方の開閉対象が開かれた状態にあるのかを検出することができる。
【先行技術文献】
【特許文献】
【０００８】
【特許文献１】特開２００１−１９７２３２号公報
【特許文献２】特開２００４−１５４９７５号公報
【特許文献３】特開２００６−８４５６９号公報
【発明の概要】
【発明が解決しようとする課題】
【０００９】
しかしながら、上記特許文献２，３に記載の技術は、開閉対象の総数よりも少ない検出手段で、二つの開閉対象の開閉状態を検出可能な技術ではあるものの、三つの開閉対象の開閉状態を検出可能な技術ではなかった。
【００１０】
また、上記特許文献２に記載の技術の場合、第一の開閉対象が開状態、第二の開閉対象が閉状態となっていても、それらの開閉状態に変化がない限り、開状態となっている開閉対象が第一の開閉対象なのか第二の開閉対象なのかを特定することはできなかった。
【００１１】
より詳しく説明すると、上記特許文献２に記載の技術の場合、上述の通り、スイッチのオン・オフが切り替わるときのパターンの違いで、第一の開閉対象又は第二の開閉対象どちらが開閉されたのかを識別している。そのため、例えば、二つの開閉対象のいずれか一方が開状態となっているような状況であっても、開状態となっている開閉対象が閉状態とされない限り、開状態となっている開閉対象が第一の開閉対象なのか第二の開閉対象なのかを特定することはできなかった。
【００１２】
また、上記特許文献３に記載の技術も、二つの開閉対象の少なくとも一方が開状態にあることなら検出できるものの、その際、開状態となっている部材が第一の開閉対象なのか第二の開閉対象なのかを特定することまではできなかった。
【００１３】
したがって、少なくとも第一の開閉対象が開状態にあれば、第一の開閉対象が開状態である旨の警告を出力したい場合であっても、上記特許文献２，３に記載の技術では、そのような警告を出力するために必要となる判断ができない、という問題があった。そのため、上記特許文献２，３に記載の技術でも、第一の開閉対象又は第二の開閉対象どちらかが開状態である旨の警告を出力する程度のことならできたが、第一の開閉対象又は第二の開閉対象どちらが開状態なのかを特定して警告を発することはできなかった。
【００１４】
本発明は、上記問題を解決するためになされたものであり、その目的は、開閉対象の総数よりも少ない検出手段で三つの開閉対象の開閉状態を検出可能で、しかも、どの開閉対象が開状態なのかを従来以上にきめ細かく検出可能な仕組みを備えた画像読取装置を提供することにある。
【課題を解決するための手段】
【００１５】
以下、本発明において採用した構成について説明する。
本発明の画像読取装置は、上側に第一開口部が設けられた本体ユニットと、上側には読取対象となる原稿が載置される原稿載置面が設けられるとともに、当該原稿載置面の下方には、前記原稿載置面に沿って移動しながら前記原稿載置面に載置された原稿の画像を読み取る読取手段が設けられており、前記本体ユニットに対して相対的に変位して、前記第一開口部を開く開位置、及び前記第一開口部を閉じる閉位置へ開閉動作する読取ユニットと、読取対象となる原稿を所定の搬送経路沿いに搬送する搬送機構が組み込まれるとともに、一部には第二開口部が設けられており、前記読取ユニットに対して相対的に変位して、前記原稿載置面を露出させる開位置、及び前記原稿載置面を覆う閉位置へ開閉動作する原稿搬送ユニットと、前記原稿搬送ユニットに対して相対的に変位して、前記第二開口部を開く開位置、及び前記第二開口部を閉じる閉位置へ開閉動作する構造とされたカバー部材と、前記読取ユニット、前記原稿搬送ユニット、及び前記カバー部材のうち、いずれか一つを第一検出対象、当該第一検出対象以外の一つを第二検出対象、前記第一検出対象及び前記第二検出対象以外の一つを第三検出対象とし、前記第一検出対象、前記第二検出対象、及び前記第三検出対象のすべてが閉位置にある開閉状態を第一の開閉状態、前記第一検出対象及び前記第二検出対象が閉位置にあるものの、前記第三検出対象が開位置にある
開閉状態を第二の開閉状態、少なくとも前記第一検出対象が閉位置にあるものの、少なくとも前記第二検出対象が開位置にある開閉状態を第三の開閉状態、少なくとも前記第一検出対象が開位置にある開閉状態を第四の開閉状態として、前記第一の開閉状態又は前記第三の開閉状態いずれかの開閉状態と、前記第二の開閉状態又は前記第四の開閉状態いずれかの開閉状態との間で、一方の開閉状態から他方の開閉状態へ変化したときに、オン状態及びオフ状態がいずれか一方から他方へ切り替わる第一検出手段と、前記第一の開閉状態又は前記第二の開閉状態いずれかの開閉状態と、前記第三の開閉状態又は前記第四の開閉状態いずれかの開閉状態との間で、一方の開閉状態から他方の開閉状態へ変化したときに、オン状態及びオフ状態がいずれか一方から他方へ切り替わる第二検出手段とを備えたことを特徴とする。
【００１６】
このように構成された画像読取装置によれば、オン・オフが切り替わる検出手段を二つしか利用していないにもかかわらず、読取ユニット、原稿搬送ユニット、及びカバー部材、以上三つの検出対象について、四通りの開閉状態を検出することができる。
【００１７】
そのため、上記三つの検出対象それぞれの開閉状態を個別の検出手段で検出する技術に比べ、検出手段の総数を削減することができ、検出手段の配置に必要なスペースを削減して機器の小型化を図ることができる。また、削減した検出手段相当の部品代や組み立て工数が削減されるので、その分だけ製造コストの低減を図ることができる。
【００１８】
また、第一検出対象が開位置にあるか閉位置にあるか、第一検出対象が閉位置にあれば第二検出対象が開位置にあるか閉位置にあるか、第二検出対象が閉位置にあれば第三検出対象が開位置にあるか閉位置にあるかを、それぞれ判断できるので、複数の検出対象のうち、少なくとも一つが開いている状態か全部が閉じている状態かを検出する技術に比べ、どの検出対象が開位置にあるのかを、よりきめ細かく判断できる。
【００１９】
ところで、本発明の画像形成装置は、前記第一検出対象に配設されており、前記第一検出対象に対して相対的に二位置へ変位する第一可動部材と、前記第三検出対象が開位置から閉位置へ変位する際には、前記第一可動部材を前記二位置の一方から他方へ変位させる一方、前記第三検出対象が閉位置から開位置へ変位する際には、前記第一可動部材を前記二位置の他方から一方へ変位させる第一連動機構とを備え、前記第一検出対象が閉位置にある状態において前記第三検出対象が閉位置にある場合には、前記第一可動部材が、前記第一連動機構によって前記二位置の他方へと変位させられて、前記第一検出手段によって検出される状態となり、一方、前記第一検出対象が閉位置にある状態において前記第三検出対象が開位置にある場合には、前記第一可動部材が、前記第一連動機構によって前記二位置の一方へと変位させられて、前記第一検出手段によって検出されない状態となり、さらに、前記第一検出対象が開位置にある場合には、前記第一可動部材が、前記第一検出対象とともに変位して、前記第一検出手段によって検出されない状態となるものであると好ましい。
【００２０】
このように構成された画像読取装置によれば、第一可動部材及び第一連動機構を利用して、所期の開閉状態を第一検出手段に検出させることができる。したがって、装置の機械的構成を簡素化し、装置の小型化や製造コストの低減を図ることができる。
【００２１】
また、本発明の画像読取装置において、前記第一連動機構は、前記第一可動部材を前記二位置の一方から他方へ変位させる付勢力を、前記第一可動部材に対して作用させる第一付勢部と、開位置へと変位する前記第三検出対象に連動して、前記第一付勢部の付勢力に抗して前記第一可動部材を前記二位置の他方から一方へと変位させる動作伝達部とを備え、前記第一検出対象が閉位置にある状態において前記第三検出対象が閉位置にある場合には、前記第一可動部材が、前記第一付勢部に付勢されて前記二位置の他方へと変位させら
れて、前記第一検出手段によって検出される状態となり、一方、前記第一検出対象が閉位置にある状態において前記第三検出対象が開位置にある場合には、前記第一可動部材が、前記動作伝達部から伝達される力で前記二位置の一方へと変位させられて、前記第一検出手段によって検出されない状態となると好ましい。
【００２２】
このように構成された画像読取装置によれば、第一付勢部及び動作伝達部を利用して、所期の第一連動機構を構成することができる。したがって、装置の機械的構成を簡素化し、装置の小型化や製造コストの低減を図ることができる。
【００２３】
また、本発明の画像読取装置は、前記第一検出対象に配設されており、前記第一検出対象に対して相対的に二位置へ変位する第二可動部材と、前記第二検出対象が開位置から閉位置へ変位する際には、前記第二可動部材を前記二位置の一方から他方へ変位させる一方、前記第二検出対象が閉位置から開位置へ変位する際には、前記第二可動部材を前記二位置の他方から一方へ変位させる第二連動機構とを備え、前記第一検出対象が閉位置にある状態において前記第二検出対象が閉位置にある場合には、前記第二可動部材が、前記第二連動機構によって前記二位置の他方へと変位させられて、前記第二検出手段によって検出される状態となり、一方、前記第二検出対象が閉位置にある状態において前記第二検出対象が開位置にある場合には、前記第二可動部材が、前記第二連動機構によって前記二位置の一方へと変位させられて、前記第二検出手段によって検出されない状態となり、さらに、前記第一検出対象が開位置にある場合には、前記第二可動部材が、前記第一検出対象とともに変位して、前記第二検出手段によって検出されない状態となるものであると好ましい。
【００２４】
このように構成された画像読取装置によれば、第二可動部材及び第二連動機構を利用して、所期の開閉状態を第一検出手段に検出させることができる。したがって、装置の機械的構成を簡素化し、装置の小型化や製造コストの低減を図ることができる。
【００２５】
また、本発明の画像読取装置において、前記第二連動機構は、前記第二可動部材を前記二位置の他方から一方へ変位させる付勢力を、前記第二可動部材に対して作用させる第二付勢部と、前記第二検出対象が閉位置へと変位した際に前記第二可動部材を押圧することにより、前記第二付勢部の付勢力に抗して前記第二可動部材を前記二位置の一方から他方へと変位させる押圧部とを備え、前記第一検出対象が閉位置にある状態において前記第二検出対象が閉位置にある場合には、前記第二可動部材が、前記押圧部に押圧されて前記二位置の他方へと変位させられて、前記第二検出手段によって検出される状態となり、一方、前記第一検出対象が閉位置にある状態において前記第二検出対象が開位置にある場合には、前記第二可動部材が、前記第二付勢部に付勢されて前記二位置の一方へと変位させられて、前記第二検出手段によって検出されない状態となるものであると好ましい。
【００２６】
このように構成された画像読取装置によれば、第二付勢部及び押圧部を利用して、所期の第二連動機構を構成することができる。したがって、装置の機械的構成を簡素化し、装置の小型化や製造コストの低減を図ることができる。
【００２７】
また、本発明の画像読取装置は、前記画像読取装置の備える所定の機能が利用される際に、前記第一検出手段及び前記第二検出手段による検出結果に基づいて、前記第一の開閉状態〜前記第四の開閉状態いずれであるのかを特定するとともに、特定された開閉状態と前記所定の機能を利用する際に必要な開閉状態とが異なる場合に、その旨の警告を出力する警告出力手段を備えると好ましい。
【００２８】
このように構成された画像読取装置によれば、所定の機能を利用する際に必要な開閉状態ではない場合に警告が出力されるので、その警告を受けた利用者は開閉状態を適切に修
正した上で、所定の機能を利用することができる。
【図面の簡単な説明】
【００２９】
【図１】（ａ）は第一の開閉状態とされた複合機を示す斜視図、（ｂ）は第二の開閉状態とされた複合機を示す斜視図。
【図２】（ａ）は第三の開閉状態とされた複合機を示す斜視図、（ｂ）は第四の開閉状態とされた複合機を示す斜視図。
【図３】（ａ）は原稿搬送ユニットが備える上部カバーを開位置に変位させた状態を示す斜視図、（ｂ）は原稿搬送ユニットが備える原稿センサの位置を示す斜視図。
【図４】複合機が備える読取ユニット及び原稿搬送ユニットを正面側から見た縦断面図であり、（ａ）はカバー部材が閉じられた状態を示す縦断面図、（ｂ）はカバー部材が開かれた状態を示す縦断面図。
【図５】第一の開閉状態とされた複合機の一部を示す縦断面図であり、（ａ）は第一開閉センサを左側面側から見た縦断面図、（ｂ）は第一開閉センサ及び第二開閉センサを正面側から見た縦断面図。
【図６】第二の開閉状態とされた複合機の一部を示す縦断面図であり、（ａ）は第一開閉センサを左側面側から見た縦断面図、（ｂ）は第一開閉センサ及び第二開閉センサを正面側から見た縦断面図。
【図７】第三の開閉状態とされた複合機の一部を示す縦断面図であり、（ａ）は第一開閉センサを左側面側から見た縦断面図、（ｂ）は第一開閉センサ及び第二開閉センサを正面側から見た縦断面図。
【図８】第四の開閉状態とされた複合機の一部を示す縦断面図であり、（ａ）は第一開閉センサを左側面側から見た縦断面図、（ｂ）は第一開閉センサ及び第二開閉センサを正面側から見た縦断面図。
【図９】開閉状態に応じた制御の一例を示すフローチャート。
【発明を実施するための形態】
【００３０】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係をわかりやすくするため、図中に併記した上下左右前後の各方向を利用して説明をする。
【００３１】
［複合機の構造］
図１（ａ），同図（ｂ），図２（ａ）及び同図（ｂ）に示すように、複合機１は、本体ユニット２と、本体ユニット２の上側に搭載された読取ユニット３と、読取ユニット３の上側に搭載された原稿搬送ユニット４を備えている。
【００３２】
本体ユニット２は、画像形成部、制御部、及び電源部等を内蔵しており、本体ユニット２、読取ユニット３、及び原稿搬送ユニット４に配設された各種機構は、本体ユニット２が備える制御部によって制御される。
【００３３】
読取ユニット３は、本体ユニット２及び読取ユニット３の後端付近において左右方向へと延びる軸線を回動中心として、本体ユニット２に対し回動可能な構造とされている。この回動に伴って、読取ユニット３は、閉位置（図１（ａ）参照。）及び開位置（図２（ｂ）参照。）へ変位する。
【００３４】
読取ユニット３を開位置へ変位させると、本体ユニット２の上面側に設けられた第一開口部２Ａが開放され、本体ユニット２に内蔵された各部（画像形成部、制御部、及び電源
部等）のメンテナンス作業等を実施することができる。また、読取ユニット３を閉位置へ変位させると、第一開口部２Ａが閉鎖される。
【００３５】
原稿搬送ユニット４は、読取ユニット３及び原稿搬送ユニット４の後端付近において左右方向へと延びる軸線を回動中心として、読取ユニット３に対し回動可能な構造とされている。この回動に伴って、原稿搬送ユニット４は、閉位置（図１（ａ）参照。）及び開位置（図２（ａ）参照。）へ変位する。
【００３６】
原稿搬送ユニット４を開位置へ変位させると、読取ユニット３の上面にある原稿載置面（後述する静止原稿用透明部２５）が露出する。また、原稿搬送ユニット４を閉位置へ変位させると、原稿搬送ユニット４は、原稿載置面を覆うカバーとして機能する。
【００３７】
原稿搬送ユニット４の左端には、カバー部材５が取り付けられている。カバー部材５は、原稿搬送ユニット４の左端付近かつカバー部材５の下端付近において前後方向へと延びる軸線を回動中心として、原稿搬送ユニット４に対し回動可能な構造とされている。この回動に伴って、カバー部材５は、閉位置（図１（ａ）参照。）及び開位置（図１（ｂ）参照。）へ変位する。
【００３８】
カバー部材５を開位置へ変位させると、第二開口部４Ａが開放される。また、カバー部材５を閉位置へ変位させると、第二開口部４Ａが閉鎖される。なお、詳しくは後述するが、第二開口部４Ａは、第二原稿搬送経路に沿って原稿が搬送された際に、その原稿が排出される排出口として利用される。
【００３９】
本体ユニット２の前部上側には、利用者によって操作される操作パネル７が設けられている。また、本体ユニット２において、操作パネル７の下方には、印刷後の被記録媒体を排出する排出口８が形成され、更にその下方には、印刷前の被記録媒体が収納される給紙カセット９などが装着されている。
【００４０】
原稿搬送ユニット４の上面には、図１（ａ）及び同図（ｂ）に示すように、開閉式の上面カバー１１が設けられている。この上面カバー１１は、上面カバー１１の右端付近において前後方向へと延びる軸線を回動中心として、図３（ａ）に示すように、原稿搬送ユニット４に対し回動可能な構造とされている。この回動に伴って、上面カバー１１は、閉位置（図１（ａ）参照。）及び開位置（図３（ａ）参照。）へ変位する。
【００４１】
上面カバー１１が閉位置にあるときには、下方に向けられていた上面カバー１１の裏面側は、上面カバー１１を開位置へ変位させた際には、斜め上方に向けられ、原稿搬送ユニット４の上面には、原稿台１２が構成される。
【００４２】
原稿台１２上には、原稿ガイド１３が設けられている。この原稿ガイド１３は、双方とも前後方向へスライド可能で、しかも、一方に連動して他方が一方とは逆方向へスライドする仕組みになっている。そのため、一対の原稿ガイド１３の間隔を変更する際には、一方を操作するだけで、双方を互いに接近又は離間する方向へスライドさせることができる。
【００４３】
また、原稿ガイド１３の上端には、仕切り板１５が設けられている。搬送対象となる原稿は、この仕切り板１５の下方にセットされる。また、後述する第一搬送経路に沿って原稿が搬送された場合、搬送済みの原稿は、仕切り板１５の上方に排出される。
【００４４】
さらに、原稿台１２上には、図３（ｂ）に示すように、原稿センサ１７が設けられている。この原稿センサ１７は、搬送対象となる原稿がセットされた際に、原稿に押圧される
と下方へ変位することにより、オン・オフが切り替わる接触式センサである。ただし、この原稿センサ１７は、一対の原稿ガイド１３の前後方向の間隔が所定サイズ（例えば、ハガキサイズ）よりも大きいサイズに設定されて、所定サイズよりもサイズが大きい原稿がセットされた場合に、原稿によって押圧される位置に配設されている。そのため、所定サイズ以下の原稿（例えば、所定サイズがハガキサイズであれば、ハガキ、名刺等）がセットされた場合には、原稿センサ１７が押圧されず、これにより、セットされた原稿が所定サイズ以下か否かを検出可能とされている。
【００４５】
［読取ユニット及び原稿搬送ユニットの詳細］
図４（ａ）及び同図（ｂ）に示すように、読取ユニット３には、第一イメージセンサ２１が設けられ、原稿搬送ユニット４には、第二イメージセンサ２２が設けられている。本実施形態において、第一イメージセンサ２１及び第二イメージセンサ２２としては、双方とも密着イメージセンサ（Contact Image Sensor）が採用されている。
【００４６】
第一イメージセンサ２１は、図示しないモータによって駆動されて、読取ユニット３の内部を左右方向（副走査方向）へ往復移動する構造とされている。また、第二イメージセンサ２２は、原稿搬送ユニット４内のフレームに固定されている。
【００４７】
また、読取ユニット３側には、第一イメージセンサ２１の往復移動経路の上方となる位置に、静止原稿用透明部２５及び搬送原稿用第一透明部２７が設けられている。また、原稿搬送ユニット４側には、第二イメージセンサ２２の下方となる位置に、搬送原稿用第二透明部２８が設けられている。
【００４８】
静止原稿用透明部２５及び搬送原稿用第一透明部２７は、双方とも読取ユニット３の上面をなす位置にあり、本実施形態においては、これら静止原稿用透明部２５及び搬送原稿用第一透明部２７が、単一のガラス板を利用して構成されている。また、搬送原稿用第二透明部２８は、本実施形態においては、静止原稿用透明部２５及び搬送原稿用第一透明部２７とは別のガラス板を利用して構成されている。
【００４９】
なお、静止原稿用透明部２５及び搬送原稿用第一透明部２７は、それぞれが別のガラス板を利用して構成されていてもよい。また、静止原稿用透明部２５、搬送原稿用第一透明部２７、及び搬送原稿用第二透明部２８の材質は、第一イメージセンサ２１及び第二イメージセンサ２２による原稿の読み取りが可能な透明な材質であれば、ガラス以外の材質であってもよい。
【００５０】
また、原稿搬送ユニット４側には、搬送原稿用第一透明部２７の上方となる位置に、第一原稿押さえ部３１が配設され、読取ユニット３側には、搬送原稿用第二透明部２８の下方となる位置に、第二原稿押さえ部３２が配設されている。
【００５１】
第一原稿押さえ部３１は、圧縮ばね（図示せず）によって下方へと付勢されており、これにより、第一原稿押さえ部３１は搬送原稿用第一透明部２７の上面側を軽く押圧する状態になっている。また、第二原稿押さえ部３２は、圧縮ばね（図示せず）によって上方へと付勢されており、これにより、第二原稿押さえ部３２は搬送原稿用第二透明部２８の下面側を軽く押圧する状態になっている。
【００５２】
また、原稿搬送ユニット４には、供給ローラ４１、分離ローラ４２、レジストローラ４３、Ｕターン搬送ローラ４４などのローラ群が設けられ、これらのローラ間には原稿を適正な搬送方向へ案内するためのガイド面を提供する部材も配置されている。そのようなガイド面を提供する部材の一つとして、Ｕターン搬送ローラ４４の左方には、可動式の経路切替部材４５が設けられている。
【００５３】
経路切替部材４５は、経路切替部材４５の下端側において前後方向へと延びる軸線を回動中心として、原稿搬送ユニット４に対し回動可能な構造とされている。この回動に伴って、経路切替部材４５は、図４（ａ）に示す第一位置、及び図４（ｂ）に示す第二位置へ変位可能となっている。
【００５４】
また、経路切替部材４５とカバー部材５の間にはリンク部材４６が介装されている。リンク部材４６は、右端側が経路切替部材４５に対して回動可能に連結される一方、左端側がカバー部材５に対して回動可能に連結されている。カバー部材５の下端及び経路切替部材４５の下端は、それぞれ原稿搬送ユニット４に対し回動可能とされており、これにより、原稿搬送ユニット４上では、カバー部材５、経路切替部材４５、及びリンク部材４６からなる四節リンクが構成されている。
【００５５】
このような四節リンクを構成してあるので、カバー部材５を開けば、それに連動させて経路切替部材４５を第二位置へ変位させることができ、カバー部材５を閉じれば、それに連動させて経路切替部材４５を第一位置へ変位させることができる。
【００５６】
以上のように構成された複合機１では、原稿搬送ユニット４を利用して原稿を搬送しながら、その原稿の画像を読み取ることができる。このような方法で画像を読み取る場合には、まず、上述のカバー部材５、経路切替部材４５、及びリンク部材４６を変位させて、原稿搬送経路を所望の搬送経路に切り替える。
【００５７】
具体的には、本実施形態の場合、所定サイズより大きい原稿（一例としてはハガキサイズよりも大きい原稿。）を搬送する際には、経路切替部材４５を第一位置へ変位させ、これにより、原稿搬送ユニット４内には、第一原稿搬送経路（図４（ａ）中に示す二点鎖線参照。）が構成される。一方、所定サイズより小さい原稿（一例としてハガキサイズ以下の原稿（例えば、ハガキ、名刺等））を搬送する際には、経路切替部材４５を第二位置へ変位させ、これにより、原稿搬送ユニット４内には、第二原稿搬送経路（図４（ｂ）中に示す二点鎖線参照。）が構成される。
【００５８】
搬送対象となる原稿は原稿台１２にセットされ、操作パネル７上での操作や図示しないＰＣ（Personal Computer）からの遠隔操作により、複合機１に対してスキャン指令が与えられる。なお、このスキャン指令の際、利用者は片面読み取りか両面読み取りかを任意に指定できる。
【００５９】
複合機１にスキャン指令が与えられた場合、複合機１は、まず、装置各部を初期化する処理を実行し、続いて、原稿搬送ユニット４が備えるローラ群を作動させる。このとき、供給ローラ４１によって搬送方向上流側から供給される原稿は、分離ローラ４２によって１枚ずつに分離されつつ、更に搬送方向下流側へと搬送される。
【００６０】
そして、その原稿の先端をレジストローラ４３に当接させることにより、原稿先端の位置決め及び斜行の補正を行い、その原稿が搬送方向下流側へと搬送されて、搬送原稿用第一透明部２７と第一原稿押さえ部３１との間を通過する。スキャン指令の際に、両面読み取り又は第一イメージセンサ２１による片面読み取りが指定されている場合、原稿が第一イメージセンサ２１と対向する位置に到来したら、第一イメージセンサ２１による画像の読み取りを行う。
【００６１】
具体的には、第一イメージセンサ２１は、複合機１の前後方向を主走査方向、搬送方向を副走査方向として、各センサに対向する位置を副走査方向へと移動する原稿から、主走査方向に並ぶ複数の画素を繰り返し読み取ることで、原稿の表面側の画像を読み取る。
【００６２】
また、搬送原稿用第一透明部２７と第一原稿押さえ部３１との間を通過した原稿は、引き続いて、搬送原稿用第二透明部２８と第二原稿押さえ部３２との間を通過する。スキャン指令の際に、両面読み取り又は第二イメージセンサ２２による片面読み取りが指定されている場合、原稿が第二イメージセンサ２２と対向する位置に到来したら、第二イメージセンサ２２による画像の読み取りを行う。
【００６３】
具体的には、第二イメージセンサ２２は、複合機１の前後方向を主走査方向、搬送方向を副走査方向として、各センサに対向する位置を副走査方向へと移動する原稿から、主走査方向に並ぶ複数の画素を繰り返し読み取ることで、原稿の裏面側の画像を読み取る。
【００６４】
搬送原稿用第二透明部２８と第二原稿押さえ部３２との間を通過した原稿は、Ｕターン搬送ローラ４４に到達し、Ｕターン搬送ローラ４４の下端側からＵターン搬送ローラ４４の左方へと送り出される。
【００６５】
ここで、原稿搬送経路として第一原稿搬送経路が選択されている場合（図４（ａ）参照。）、経路切替部材４５は、経路切替部材４５の左右両側にある空間を区画する隔壁となっている。この状態において、経路切替部材４５の右側にある凹面は、Ｕターン搬送ローラ４４の外周面に沿った位置に配置され、Ｕターン搬送ローラ４４の下端側から左方へ原稿が送り出された際に、その原稿の先端を上方へと案内するガイド面として機能する。
【００６６】
このようなガイド面に沿って上方へと案内された原稿は、Ｕターン搬送ローラ４４に沿ってＵターンするので、第一原稿搬送経路に沿って搬送されることになる。なお、こうして第一原稿搬送経路に沿って搬送された原稿は、原稿搬送ユニット４の上面側、即ち仕切り板１５の上方に排出される。
【００６７】
一方、原稿搬送経路として第二原稿搬送経路が選択されている場合（図４（ｂ）参照。）、経路切替部材４５は、下端側を中心に上端側が左方へと倒れる。これにより、経路切替部材４５の左右両側にある空間は連通した状態となる。この状態において、Ｕターン搬送ローラ４４の下端側から左方へ原稿が送り出された際には、その原稿の先端は経路切替部材４５の上端を乗り越え搬送される。なお、この連通される空間の前後方向の幅は、所定サイズ（一例としてハガキサイズ）の原稿が通過可能な幅を有していれば良く、第二原稿搬送経路の通過に適した原稿の幅に応じて設定すればよい。
【００６８】
その結果、原稿はリンク部材４６側へと送り出され、第二原稿搬送経路に沿って搬送されることになる。なお、こうして第二原稿搬送経路に沿って搬送された原稿は、原稿搬送ユニット４の左端にある第二開口部４Ａから排出され、その際、排出された原稿は、排出トレイとして機能するカバー部材５によって左側下方から支持される状態になる。
【００６９】
さらに、この複合機１では、静止原稿用透明部２５上に原稿を載置して、その原稿の画像を読み取ることもできる。このような方法で画像を読み取る場合には、まず、原稿搬送ユニット４が開かれて、原稿載置面である静止原稿用透明部２５上に原稿が載置される。この状態で、操作パネル７上での操作や図示しないＰＣからの遠隔操作により、複合機１に対してスキャン指令が与えられる。
【００７０】
複合機１にスキャン指令が与えられた場合、複合機１は、まず、装置各部を初期化する処理を実行し、続いて、第一イメージセンサ２１による画像の読み取りを行う。具体的には、第一イメージセンサ２１は、複合機１の前後方向を主走査方向、左右方向を副走査方向として、副走査方向へ移動しながら、主走査方向に並ぶ複数の画素を繰り返し読み取ることで、静止原稿用透明部２５上に載置されている原稿の画像を読み取る。
【００７１】
［開閉状態検出機構］
次に、この複合機１が備える開閉状態検出機構について説明する。複合機１は、図５〜図８に示すように、開閉状態検出機構として、第一検出部５１、第一可動部材５３、第一連動機構５５、第二検出部６１、第二可動部材６３、及び第二連動機構６５を備えている。この開閉状態検出機構は、概ね複合機１の前部左方の角付近に配設されている。
【００７２】
これらのうち、第一検出部５１及び第二検出部６１は、本体ユニット２に配設され、第一可動部材５３及び第二可動部材６３は、読取ユニット３に配設されている。また、第一連動機構５５及び第二連動機構６５は、それぞれの一部が読取ユニット３に配設され、残りの一部が原稿搬送ユニット４に配設されている。
【００７３】
第一検出部５１は、第一スイッチ５１Ａ、コイルスプリング５１Ｂ、及び昇降部材５１Ｃによって構成されている。昇降部材５１Ｃは、本体ユニット２に対して上下方向に変位可能な状態で支持されており、コイルスプリング５１Ｂによって上方へ付勢された状態になっている。この昇降部材５１Ｃが上昇して第一スイッチ５１Ａから離間すると第一スイッチ５１Ａはオフになり、一方、昇降部材５１Ｃが下降して第一スイッチ５１Ａに接触すると第一スイッチ５１Ａはオンになる。
【００７４】
第一可動部材５３は、読取ユニット３に対して上下方向に変位可能な状態で支持されている。第一連動機構５５は、カバー部材５の開閉動作に連動させて第一可動部材５３を昇降動作させるために設けられた機構で、第一付勢部５５Ａ、動作伝達部５５Ｂ、及び当接部５５Ｃを備えている。
【００７５】
第一付勢部５５Ａはコイルスプリングによって構成され、第一可動部材５３は、第一付勢部５５Ａによって下方へ付勢された状態になっている。動作伝達部５５Ｂは、動作伝達部５５Ｂの前後方向両端間中央付近において左右方向に延びる軸線を揺動中心として、読取ユニット３に対して揺動可能な状態で支持されている。
【００７６】
動作伝達部５５Ｂの前端には、第一可動部材５３が接触しており、第一付勢部５５Ａに付勢されて第一可動部材５３が下方へと変位した際には、動作伝達部５５Ｂの前端も下方へ変位する。一方、動作伝達部５５Ｂの後端が下方へ変位すると、動作伝達部５５Ｂの前端は上方へと変位し、第一可動部材５３は、第一付勢部５５Ａの付勢力に抗して、動作伝達部５５Ｂの前端とともに上方へと変位する。
【００７７】
第二検出部６１は、第二スイッチ６１Ａ、コイルスプリング６１Ｂ、及び昇降部材６１Ｃによって構成されている。昇降部材６１Ｃは、本体ユニット２に対して上下方向に変位可能な状態で支持されており、コイルスプリング６１Ｂによって上方へ付勢された状態になっている。この昇降部材６１Ｃが上昇して第二スイッチ６１Ａから離間すると第二スイッチ６１Ａはオフになり、一方、昇降部材６１Ｃが下降して第二スイッチ６１Ａに接触すると第二スイッチ６１Ａはオンになる。
【００７８】
第二可動部材６３は、読取ユニット３に対して上下方向に変位可能な状態で支持されている。第二連動機構６５は、原稿搬送ユニット４の開閉動作に連動させて第二可動部材６３を昇降動作させるために設けられた機構で、第二付勢部６５Ａ、及び押圧部６５Ｂを備えている。
【００７９】
第二付勢部６５Ａはコイルスプリングによって構成され、第二可動部材６３は、第二付勢部６５Ａによって上方へ付勢された状態になっている。そのため、押圧部６５Ｂが第二可動部材６３の上端から離間すれば、第二可動部材６３は、第二付勢部６５Ａに付勢され
て上方へと変位する。一方、第二可動部材６３の上端が押圧部６５Ｂによって押圧されると、第二可動部材６３は、第二付勢部６５Ａの付勢力に抗して下方へと変位する。
【００８０】
以上のように構成された開閉状態検出機構は、次のように機能する。まず、図５（ａ）及び同図（ｂ）に示すように、読取ユニット３、原稿搬送ユニット４、及びカバー部材５のすべてが閉位置にある場合（この状態が本発明でいう第一の開閉状態に相当。）、第一可動部材５３は、第一付勢部５５Ａに付勢されて下方へと変位し、昇降部材５１Ｃを下方へと押圧する。
【００８１】
昇降部材５１Ｃは、コイルスプリング５１Ｂによって上方へ付勢されているものの、その付勢力は第一付勢部５５Ａよりも弱くされているため、昇降部材５１Ｃは下降して第一スイッチ５１Ａをオンにする。第二可動部材６３は、押圧部６５Ｂに押圧されて下方へと変位し、昇降部材６１Ｃを下方へと押圧、昇降部材６１Ｃは下降して第二スイッチ６１Ａをオンにする。つまり、読取ユニット３、原稿搬送ユニット４、及びカバー部材５のすべてが閉位置にある場合、第一スイッチ５１Ａ及び第二スイッチ６１Ａは、双方ともオンになる。
【００８２】
また、図６（ａ）及び同図（ｂ）に示すように、読取ユニット３、及び原稿搬送ユニット４が閉位置にあるものの、カバー部材５が開位置にある場合（この状態が本発明でいう第二の開閉状態に相当。）、当接部５５Ｃが動作伝達部５５Ｂを揺動させ、動作伝達部５５Ｂの前端が上方へ変位する。これにより、第一可動部材５３は、第一付勢部５５Ａの付勢力に抗して、動作伝達部５５Ｂの前端とともに上方へ変位する。
【００８３】
昇降部材５１Ｃは、コイルスプリング５１Ｂによって上方へ付勢されているため、第一可動部材５３に追従して上昇し、第一スイッチ５１Ａをオフにする。第二可動部材６３は、押圧部６５Ｂに押圧されて下方へと変位し、昇降部材６１Ｃを下方へと押圧、昇降部材６１Ｃは下降して第二スイッチ６１Ａをオンにする。つまり、読取ユニット３、及び原稿搬送ユニット４が閉位置にあるものの、カバー部材５が開位置にある場合、第一スイッチ５１Ａはオフ、第二スイッチ６１Ａはオンになる。
【００８４】
また、図７（ａ）及び同図（ｂ）に示すように、読取ユニット３が閉位置にあるものの、原稿搬送ユニット４が開位置にある場合（この状態が本発明でいう第三の開閉状態に相当。）、第一可動部材５３は、第一付勢部５５Ａに付勢されて下方へと変位し、昇降部材５１Ｃを下方へと押圧する。既に説明したとおり、昇降部材５１Ｃの付勢力は第一付勢部５５Ａよりも弱くされているため、昇降部材５１Ｃは下降して第一スイッチ５１Ａをオンにする。
【００８５】
第二可動部材６３は、押圧部６５Ｂが離間するので、第二付勢部６５Ａに付勢されて上方へ変位する。昇降部材６１Ｃは、コイルスプリング６１Ｂによって上方へ付勢されているため、第二可動部材６３に追従して上昇し、第二スイッチ６１Ａをオフにする。つまり、読取ユニット３が閉位置にあるものの、原稿搬送ユニット４が開位置にある場合、第一スイッチ５１Ａはオン、第二スイッチ６１Ａはオフになる。
【００８６】
さらに、図８（ａ）及び同図（ｂ）に示すように、読取ユニット３が開位置にある場合（この状態が本発明でいう第四の開閉状態に相当。）、第一可動部材５３及び第二可動部材６３は、それぞれ昇降部材５１Ｃ，６１Ｃから離間する。昇降部材５１Ｃ，６１Ｃは、コイルスプリング５１Ｂ，６１Ｂによって上方へ付勢されているため双方とも上昇し、第一スイッチ５１Ａ及び第二スイッチ６１Ａをオフにする。つまり、読取ユニット３が開位置にある場合、第一スイッチ５１Ａ及び第二スイッチ６１Ａは、双方ともオフになる。
【００８７】
よって、以上のような第一スイッチ５１Ａ及び第二スイッチ６１Ａのオン・オフ状態を検出すれば、上述した四通りの開閉状態を二つのスイッチ（第一スイッチ５１Ａ及び第二スイッチ６１Ａ）で検出することができる。
【００８８】
［開閉状態に応じた制御の一例］
次に、上記開閉状態検出機構によって検出される開閉状態に応じた制御の一例について、図９のフローチャートに基づいて説明する。以下に説明するＡＤＦスキャン処理は、原稿搬送ユニット４を利用して原稿を搬送しながら、その原稿の画像を読み取る際に実行される処理である。
【００８９】
この処理を開始すると、複合機１は、まず、第二スイッチ６１Ａがオンか否かを判断する（Ｓ１０）。ここで、オンであると判断された場合は（Ｓ１０：ＹＥＳ）、続いて、第一スイッチ５１Ａがオンか否かを判断する（Ｓ２０）。ここで、オンであると判断された場合は（Ｓ２０：ＹＥＳ）、図５（ａ）及び同図（ｂ）に示したような第一の開閉状態であると判断することができる。
【００９０】
そこで、この場合は、原稿が所定サイズ以下か否かを判断する（Ｓ３０）。Ｓ３０において、所定サイズ以下か否かは、複合機１が備える原稿センサ１７によって検出される。Ｓ３０で、所定サイズ以下でなければ（Ｓ３０：ＮＯ）、第一原稿搬送経路を利用して画像の読み取り処理を実行し（Ｓ４０）、本処理を終了する。なお、Ｓ４０では、更に必要となる動作条件のチェック等も行われるが、この種の読み取り処理そのものは周知であり、本発明の要部とは関連しないので、これ以上の説明は省略する。
【００９１】
一方、Ｓ３０で、所定サイズ以下であると判断された場合（Ｓ３０：ＹＥＳ）、複合機１は、カバー部材５が閉じている旨のエラーメッセージを出力して（Ｓ５０）、Ｓ１０へ戻る。そして、エラーメッセージに気が付いたユーザによりカバー部材５が開放された場合、それを検出可能な状態に移行する。Ｓ１０〜Ｓ５０を所定時間繰り返しても、ユーザによりカバー部材５が開放されない場合は、タイムアウトにより、本処理を終了する。すなわち、この複合機１では、原稿が所定サイズ以下の場合は、第二原稿搬送経路を利用する必要があり、その場合は、カバー部材５が開かれている必要があるため、Ｓ５０を実行するものの、画像の読み取り処理は実行しない。
【００９２】
また一方、Ｓ２０において、第一スイッチ５１Ａがオフであると判定された場合は（Ｓ２０：ＮＯ）、図６（ａ）及び同図（ｂ）に示したような第二の開閉状態であると判断することができる。
【００９３】
そこで、この場合は、原稿が所定サイズ以下か否かを判断し（Ｓ６０）、所定サイズ以下であれば（Ｓ６０：ＹＥＳ）、第二原稿搬送経路を利用して画像の読み取り処理を実行し（Ｓ７０）、本処理を終了する。なお、Ｓ７０でも、Ｓ４０同様、更に必要となる動作条件のチェック等も行われるが、この種の読み取り処理そのものは周知であり、本発明の要部とは関連しないので、これ以上の説明は省略する。
【００９４】
一方、Ｓ６０で、所定サイズ以下ではないと判断された場合（Ｓ６０：ＮＯ）、複合機１は、カバー部材５が開いている旨のエラーメッセージを出力して（Ｓ８０）、Ｓ１０へ戻る。そして、エラーメッセージに気が付いたユーザによりカバー部材５が閉じられた場合、それを検出可能な状態に移行する。Ｓ１０〜Ｓ８０を所定時間繰り返しても、ユーザによりカバー部材５が閉じられない場合は、タイムアウトにより、本処理を終了する。すなわち、この複合機１では、原稿が所定サイズより大きい場合は、第一原稿搬送経路を利用する必要があり、その場合は、カバー部材５が閉じられている必要があるため、Ｓ８０を実行するものの、画像の読み取り処理は実行しない。
【００９５】
さらに、Ｓ１０において、第二スイッチ６１Ａがオフであると判断された場合（Ｓ１０：ＮＯ）、複合機１は、第一スイッチ５１Ａがオンか否かを判断する（Ｓ９０）。ここで、オンであると判断された場合は（Ｓ９０：ＹＥＳ）、図７（ａ）及び同図（ｂ）に示したような第三の開閉状態であると判断することができる。そこで、この場合は、原稿搬送ユニット４が開いている旨のエラーメッセージを出力して（Ｓ１００）、Ｓ１０へ戻る。そして、エラーメッセージに気が付いたユーザにより原稿搬送ユニット４が閉じられた場合、それを検出可能な状態に移行する。Ｓ１０〜Ｓ１１０を所定時間繰り返しても、ユーザにより原稿搬送ユニット４が閉じられない場合は、タイムアウトにより、本処理を終了する。すなわち、原稿搬送ユニット４が開いている状態では、適正な読み取り処理を実行できないので、Ｓ１００を実行するものの、画像の読み取り処理は実行しない。
【００９６】
また、Ｓ９０で、第一スイッチ５１Ａがオフであると判断された場合は（Ｓ９０：ＮＯ）、図８（ａ）及び同図（ｂ）に示したような第四の開閉状態であると判断することができる。そこで、この場合は、読取ユニット３が開いている旨のエラーメッセージを出力して（Ｓ１１０）、Ｓ１０へ戻る。そして、エラーメッセージに気が付いたユーザにより読取ユニット３が閉じられた場合、それを検出可能な状態に移行する。Ｓ１０〜Ｓ１１０を所定時間繰り返しても、ユーザにより読取ユニット３が閉じられない場合は、タイムアウトにより、本処理を終了する。すなわち、読取ユニット３が開いている状態では、適正な読み取り処理を実行できないので、Ｓ１１０を実行するものの、画像の読み取り処理は実行しない。
【００９７】
なお、本実施形態の場合、既に説明したスキャン指令が与えられた際、原稿が原稿台１２にセットされていると、上述のＡＤＦスキャン処理が実行されるが、スキャン指令を発行する際に原稿搬送ユニット４を利用するか否かを指定できるように構成してあってもよい。
【００９８】
［効果］
以上説明したように、本実施形態の複合機１によれば、二つのスイッチ（第一スイッチ５１Ａ及び第二スイッチ６１Ａ）しか利用していないにもかかわらず、読取ユニット３、原稿搬送ユニット４、及びカバー部材５、以上三つの検出対象について、四通りの開閉状態を検出することができる。
【００９９】
したがって、これら三つの検出対象それぞれの開閉状態を個別のスイッチやセンサで検出する技術に比べ、スイッチやセンサの総数を削減することができ、スイッチやセンサの配置に必要なスペースを削減して機器の小型化を図ることができる。また、削減したスイッチやセンサ相当の部品代や組み立て工数が削減されるので、その分だけ製造コストの低減を図ることができる。
【０１００】
また、第一検出対象である読取ユニット３が開位置にあるか閉位置にあるか、読取ユニット３が閉位置にあれば第二検出対象である原稿搬送ユニット４が開位置にあるか閉位置にあるか、原稿搬送ユニット４が閉位置にあれば第三検出対象であるカバー部材５が開位置にあるか閉位置にあるかを、それぞれ判断できる。
【０１０１】
したがって、複数の検出対象のうち、少なくとも一つが開いている状態か全部が閉じている状態かを検出する技術に比べ、どの検出対象が開位置にあるのかを、よりきめ細かく判断できる。また、このようなきめ細かい判断ができるので、例えば、上記Ｓ５０，Ｓ８０，Ｓ１００，Ｓ１１０に示したように、特定の開閉箇所の開閉状態を明示してエラーメッセージを出力することができる。よって、複数箇所のいずれかが開いているといったエラーメッセージが出力される場合に比べ、利用者は的確な対処ができるようになる。
【０１０２】
［その他の実施形態］
以上、本発明の実施形態について説明したが、本発明は上記の具体的な一実施形態に限定されず、この他にも種々の形態で実施することができる。
【０１０３】
例えば、上記実施形態では、第一検出部５１及び第二検出部６１を本体ユニット２に配設する例を示したが、読取ユニット３や原稿搬送ユニット４に第一検出部５１及び第二検出部６１相当の部分（すなわち、第一スイッチ５１Ａや第二スイッチ６１Ａを備える部分）を設けてもよい。このような場合でも、更にスイッチのオン・オフを切り替える可動部、その可動部を特定方向に付勢する付勢部、離間した箇所に動きを伝達する動作伝達部などを適宜配置することで、上記実施形態と同等なオン・オフの切り替え機構を実現できる。
【０１０４】
また、上記実施形態では、第一スイッチ５１Ａや第二スイッチ６１Ａのオン・オフについて、特定の事例を示したが、各スイッチのオン・オフは、いずれか一方又は両方が逆転していてもかまわない。
【０１０５】
さらに、上記実施形態では、読取ユニット３を第一検出対象、原稿搬送ユニット４を第二検出対象、カバー部材５を第三検出対象として、開閉状態を検出していたが、これらの優先順位は適宜入れ替えてもよい。すなわち、上記実施形態の場合、読取ユニット３が開位置にあることは最も検出される優先順位が高く、カバー部材５が開位置にあることは最も検出される優先順位が低くなっているが、この優先順位は変更されていてもよい。
【０１０６】
また、第一スイッチ５１Ａ，第二スイッチ５１Ｂを読取ユニット３の上部側に配置可能であれば、コイルスプリング５１Ｂ、及び昇降部材５１Ｃは介在させなくても実現できる。同様に、コイルスプリング６１Ｂ，及び昇降部材６１Ｃについても必ずしも介在させる必要はない。
【０１０７】
また、上記実施形態では、本発明の画像読取装置の一例として、複合機として構成された画像読取装置を例示したが、複合機として構成されているか否かは任意である。
【符号の説明】
【０１０８】
１・・・複合機、２・・・本体ユニット、２Ａ・・・第一開口部、３・・・読取ユニット、４・・・原稿搬送ユニット、４Ａ・・・第二開口部、５・・・カバー部材、７・・・操作パネル、８・・・排出口、９・・・給紙カセット、１１・・・上面カバー、１２・・・原稿台、１３・・・原稿ガイド、１５・・・仕切り板、１７・・・原稿センサ、２１・・・第一イメージセンサ、２２・・・第二イメージセンサ、２５・・・静止原稿用透明部、２７・・・搬送原稿用第一透明部、２８・・・搬送原稿用第二透明部、３１・・・第一原稿押さえ部、３２・・・第二原稿押さえ部、４１・・・供給ローラ、４２・・・分離ローラ、４３・・・レジストローラ、４４・・・Ｕターン搬送ローラ、４５・・・経路切替部材、４６・・・リンク部材、５１・・・第一検出部、５１Ａ・・・第一スイッチ、５１Ｂ・・・コイルスプリング、５１Ｃ・・・昇降部材、５３・・・第一可動部材、５５・・・第一連動機構、５５Ａ・・・第一付勢部、５５Ｂ・・・動作伝達部、５５Ｃ・・・当接部、６１・・・第二検出部、６１Ａ・・・第二スイッチ、６１Ｂ・・・コイルスプリング、６１Ｃ・・・昇降部材、６３・・・第二可動部材、６５・・・第二連動機構、６５Ａ・・・第二付勢部、６５Ｂ・・・押圧部。
【図１】
0005454540.tif 000002
【図２】
0005454540.tif 000003
【図３】
0005454540.tif 000004
【図４】
0005454540.tif 000005
【図５】
0005454540.tif 000006
【図６】
0005454540.tif 000007
【図７】
0005454540.tif 000008
【図８】
0005454540.tif 000009
【図９】
0005454540.tif 000010